(57)【要約】  【課題】  高弾性反発が生じ、フェイスプレートのスイートゾーンを拡大させるクラブヘッドのフェイスプレートを提供する。  【解決手段】  それぞれ対向する両側に位置するフェイス面及び裏面を備えるフェイスプレートを有し、該フェイスプレートはさらに、インパクトゾーンと、該インパクトゾーンの外周を囲みかつ該フェイスプレート外周縁の近傍に弾性環状区域とが画定され、該フェイスプレートの裏面における弾性環状区域において、間隔をおいて内外に配列される複数本の環状溝が形成され、２つの隣り合う環状溝の間に環状フランジが形成されているゴルフクラブヘッドのフェイスプレートを提供する。【選択図】  図３
2015023945.tif 000002
【特許請求の範囲】
【請求項１】
それぞれ対向する両側に位置するフェイス面及び裏面を備えるフェイスプレートを有し、該フェイスプレートはさらに、インパクトゾーンと、該インパクトゾーンの外周を囲みかつ該フェイスプレート外周縁の近傍に弾性環状区域とが画定され、該フェイスプレートの裏面における弾性環状区域において、間隔をおいて内外に配列される複数本の環状溝が形成され、２つの隣り合う該環状溝の間に環状フランジが形成されていることを特徴とするゴルフクラブヘッドのフェイスプレート。
【請求項２】
前記弾性環状区域に環状溝が設置される数量は２本乃至６本であることを特徴とする請求項１に記載のゴルフクラブヘッドのフェイスプレート。
【請求項３】
前記弾性環状区域の幅は３ｍｍ乃至１５ｍｍであることを特徴とする請求項１に記載のゴルフクラブヘッドのフェイスプレート。
【発明の詳細な説明】
【技術分野】
【０００１】
本発明はゴルフ道具に関し、特にクラブヘッドのフェイスプレートに関するものである。
【背景技術】
【０００２】
既存のゴルフクラブヘッドは主に、クラブヘッド本体と、クラブヘッド本体の前面に接着されるフェイスプレートとを含み、クラブヘッド本体におけるフェイスプレート側の一端に、クラブヘッド本体を接着するための棒状の固着部が形成される。このゴルフクラブヘッドは、固着部を介してゴルフシャフトと接着して、ゴルフクラブを構成する。使用者がゴルフクラブでボールを打撃する場合、ゴルフクラブヘッドは、前面のフェイスプレートでボールを打つことから、このフェイスプレートの構成がゴルフクラブの打撃に対して重要な影響を及ぼす。
【０００３】
既存のゴルフクラブヘッドのフェイスプレートは、板厚が均一な平板状を呈することが多く、単純に高強度、高弾性の金属材料が選択されて用いられているのもであり、構造上の変更または改良をしない状態で、フェイスプレートの周縁がクラブヘッド本体に固定され、つまり、クラブヘッド本体によってフェイスプレートの周縁を締め付けることから、フェイスプレートにおける弾性反発を有する箇所が中央の小さい領域だけとなり、既存の技術ではフェイスプレートのスイートゾーンの範囲が全体面積に占める割合が小さくなってしまった。したがって、一般の使用者が既存のゴルフクラブで打撃する時、フェイスプレートのスイートゾーンをボールに当てるよう制御するのは非常に困難である。
【０００４】
また、フェイスプレートの裏面中央に厚めのブロックが設けられるという発明が提案されている。この構造は、フェイスプレートの中央が厚く、周辺が薄くする構造により、フェイスプレート周辺の薄い領域の可撓性・弾性を高めて、該フェイスプレートがボールに当たる時、弾性効果を発揮することができる。
【先行技術文献】
【特許文献】
【０００５】
【特許文献１】台湾実用新案の第Ｍ３１４６２６号
【発明の概要】
【発明が解決しようとする課題】
【０００６】
しかしながら、フェイスプレートの裏面中央にブロックが設けられた構造によって、フェイスプレート周辺の可撓性・弾性を高めることができるが、そのフェイスプレート周辺の薄い領域の厚さは、また従来のフェイスプレートの厚さと同一であることから、ボールが当たる時の弾性効果がまだ不十分である。
【課題を解決するための手段】
【０００７】
本発明に係るゴルフクラブヘッドのフェイスプレートは、それぞれ対向する両側に位置するフェイス面及び裏面を備えるフェイスプレートを有し、該フェイスプレートはさらに、インパクトゾーンと、該インパクトゾーンの外周を囲みかつ該フェイスプレート外周縁の近傍に弾性環状区域とが画定され、該フェイスプレートの裏面における弾性環状区域において、間隔をおいて内外に配列される複数本の環状溝が形成され、２つの隣り合う環状溝の間に環状フランジが形成されているものである。
【０００８】
かかるゴルフクラブヘッドのフェイスプレートにおいて、前記弾性環状区域に環状溝が設置される数量は２本乃至６本であることが好ましい。
【０００９】
かかるゴルフクラブヘッドのフェイスプレートにおいて、前記弾性環状区域の幅は３ｍｍ乃至１５ｍｍであることが好ましい。
【発明の効果】
【００１０】
上述した構造を有することから、ゴルフクラブヘッドのフェイスプレートでボールを打撃する時、フェイス面の裏面に複数の環状溝が間隔をおいて内外に配列されることによって、該フェイスプレートの弾性環状区域に可撓性・弾性を備え、さらに、該弾性環状区域の内外に間隔をおいて配列される複数の環状溝によって、多段階の可撓性の変化を備えることから、打撃のインパクトポイントがインパクトゾーン内のいずれかの位置にしても、高弾性反発が生じると共に、フェイスプレートのスイートゾーンを拡大させることもできる。
【図面の簡単な説明】
【００１１】
【図１】本発明に係るゴルフクラブヘッドのフェイスプレートの後ろから見る斜視図である。
【図２】本発明に係るゴルフクラブヘッドのフェイスプレートの背面図である。
【図３】図２における３−３線の断面図である。
【図４】本発明に係るゴルフクラブヘッドのフェイスプレートを木製クラブヘッドに適用し、フェイス面で打撃する際の使用状態の説明図である。
【図５】本発明に係るゴルフクラブヘッドのフェイスプレートを鉄製クラブヘッドに適用する状態の背面透視図である。
【図６】図５における６−６線の断面図である。
【発明を実施するための形態】
【００１２】
以下、添付図面を参照して本発明の適切な実施の形態を詳細に説明する。
【００１３】
図１乃至図３は、本発明に係るゴルフクラブヘッドのフェイスプレートの実施例であり、このフェイスプレート１Ａは、木製クラブヘッドに使用されているが、木製クラブヘッドでの使用に制限することはない。図５及び図６に示すように、他の実施例におけるフェイスプレート１Ｂは、鉄製クラブヘッドや他のクラブヘッドに使用されてもよい。
【００１４】
図１乃至図３、図５および図６に示すように、本発明のフェイスプレート１Ａ、１Ｂは、フェイス面１２と、裏面１３とを備えており、前記フェイス面１２と裏面１３とはそれぞれ、該フェイスプレート１Ａ、１Ｂの対向する両側に位置する。該フェイスプレート１Ａ、１Ｂには、インパクトゾーン１０と、インパクトゾーン１０の外周を囲みかつフェイスプレート１Ａ、１Ｂの外周縁の近傍に弾性環状区域１１とが画定されており、前記弾性環状区域１１は、フェイス面１Ａ、１Ｂの外形にほぼ対応し、かつ弾性環状区域１１は、フェイスプレート１Ａ、１Ｂのクラブヘッド本体２Ａ、２Ｂを固接する箇所の内側領域に位置しなければならない。
【００１５】
前記フェイスプレート１Ａ、１Ｂの裏面には、弾性環状区域１１において、間隔をおいて内外に配列される複数本の環状溝１１１が形成されており、２つの隣り合う環状溝１１１の間に環状フランジ１１２が形成されている。
【００１６】
前記フェイスプレート１Ａ、１Ｂのインパクトゾーン１０は、厚さがが均一な平板状を呈してもよく、インパクトゾーン１０の裏面に凸部が設けられてもよい。フェイスプレート１Ａ、１Ｂの裏面において弾性環状区域１１に、複数本の環状溝１１１と、２つの隣り合う環状溝１１１の間に位置する環状フランジ１１２とが形成されることによって、凹凸形状が形成され、これによってフェイスプレート１Ａ、１Ｂは、弾性環状区域１１において内から外へ厚いところと薄いところが交互に配列する形態となる。
【００１７】
本実施において、前記フェイスプレート１Ａ、１Ｂの弾性環状区域１１に環状溝１１１を設置する数量は２乃至６本が好ましく、前記弾性環状区域１１の幅（外から内への方向）は３ｍ乃至１５ｍｍが好ましい。
【００１８】
図１乃至図３、図５および図６に示すように、前記フェイスプレート１Ａ、１Ｂの弾性環状区域１１において、フェイス面１２から環状溝１１１の最も内側までの間の厚さ（ｔ１）は、１．０ｍｍ乃至２．８ｍｍが好ましい。また、フェイス面１２から環状フランジ１１２の最も外側までの間の厚さ（ｔ２）は、１．７ｍｍ乃至３．５ｍｍが好ましく、これらの厚さは、フェイスプレート１Ａ、１Ｂの材質や、板厚、適用のクラブヘッドの種類などによって適度に調整することができる。
【００１９】
また、本実施例における環状溝１１１の幅および深さは、フェイスプレート１Ａ、１Ｂの必要な強度に影響を与えないように設置される。尚、フェイスプレート１Ａ、１Ｂは、金属材料からなるプレート体であり、環状凹溝１１１の最も内側は、円弧状に形成されるのが好ましい。
【００２０】
図４及び図６に示すように、本発明におけるフェイスプレート１Ａ、１Ｂをゴルフクラブヘッドに使用する時、木製クラブヘッドに適用する例をあげ、フェイスプレート１Ａ、１Ｂは、クラブヘッド本体２Ａ、２Ｂの前面に接着されると共に、クラブヘッド本体２Ａ、２Ｂの一端に設けられた棒状の固着部を介してゴルフシャフトに接着されると、ゴルフクラブを構成する。
【００２１】
図４に示すように、木製クラブヘッドの例をあげ、使用者がこのゴルフクラブを使用し、フェイスプレート１Ａでボール３を打撃する時、フェイス面１Ａの裏面の弾性環状領域１１に複数の環状溝１１１が間隔をおいて内外に配列されることによって、該フェイスプレート１Ａの弾性環状区域１１に可撓性・弾性を備える。さらに、該弾性環状区域１１の内外に間隔をおいて配列される複数の環状溝１１１によって、多段階の可撓性の変化を備え、ばねのような弾性効果を奏することで、該フェイスプレート１Ａのインパクトポイントがインパクトゾーン１０内のいずれかの位置にしても、弾性環状区域１１の可撓性・弾性により高弾性反発が生じると共に、フェイスプレート１Ａのスイートゾーンを拡大させることができる。
【符号の説明】
【００２２】
１Ａ、１Ｂ  フェイスプレート
２Ａ、２Ｂ クラブヘッド本体
３  ゴルフボール
１０  インパクトゾーン
１１  弾性環状区域
１１１ 環状溝
１１２ 環状フランジ
１２  フェイス面
１３  裏面
ｔ１  フェイス面から環状溝の最も内側までの厚さ
ｔ２  フェイス面から環状フランジの最も外側までの厚さ
【図１】
2015023945.tif 000003
【図２】
2015023945.tif 000004
【図３】
2015023945.tif 000005
【図４】
2015023945.tif 000006
【図５】
2015023945.tif 000007
【図６】
2015023945.tif 000008